(57)【要約】  【課題】容易に内容物を吐出可能な押圧容器を提供する。  【解決手段】流動体等の内容物を押し出して外部に吐出する押出容器Ａにおいて、内容物を貯留する内側容器１１と、当該内側容器１１との間に空気層１２を形成可能な状態で当該内側容器１１を内部に収容する外側容器１３とからなる積層構造の容器本体１と、前記空気層１２に外部の空気を導入し、導入した空気の逆流を防止する逆止弁２とを具備し、当該逆止弁２を前記外側容器１３の底壁１３１ｃに設けると共に、内容物を押し出す際に押圧される押圧部１３１ａを当該外側容器１３の側周壁１３１ｃに設けたことを特徴とする。  【選択図】図４
2006298386.tif 000002
【特許請求の範囲】
【請求項１】
流動体等の内容物を押し出して外部に吐出する押出容器において、
内容物を貯留する内側容器と、当該内側容器との間に空気層を形成可能な状態で当該内側容器を内部に収容する外側容器とからなる積層構造の容器本体と、
前記空気層に外部の空気を導入し、導入した空気の逆流を防止する逆止弁とを具備し、
当該逆止弁を前記外側容器の底壁に設けると共に、内容物を押し出す際に押圧される押圧部を当該外側容器の側周壁に設けたことを特徴とする押出容器。
【請求項２】
前記逆止弁を覆うカバー体を具備し、当該カバー体を台座として前記容器本体を起立可能に構成していることを特徴とする請求項１記載の容器。
【請求項３】
前記外側容器を、内部に前記内側容器を収容する内側容器収容体と、当該内側容器収容体に着脱可能に取り付けられる蓋体とから構成していることを特徴とする請求項１又は２記載の押出容器。
【発明の詳細な説明】
【技術分野】
【０００１】
この発明は、内部に貯留したマヨネーズ等の流動体を押し出すことにより吐出可能な容器に関するものである。
【背景技術】
【０００２】
例えば、マヨネーズ等を入れる容器は、当該容器の外周面から押圧力を加えて内容物を押し出す構造を有している。このような容器は、残存する内容物が少なくなるにつれて容器の形状が変化してしまい、例え再び押圧力を加えても容器内の内容物を押し出すことが困難となっていた。
【０００３】
このため、特許文献１に記載されているように、内容物を貯蔵した内側容器と当該内側容器を収納する外側容器とからなる二重構造の容器が提案されている。この容器は、当該内側容器と外側容器との間に空気層を設けると共に、当該空気層に空気を導入する小径の空気孔を外側容器に設けている。
【０００４】
そして、使用者が、当該容器の外周面を押圧すると、前記外側容器及び内側容器が変形して吐出口から内容物が押し出される。次に、押圧を解除すると、外側容器の弾性復元力により、内側容器と外側容器との間の空気層内が減圧される。このため、外部と連通する空気孔から空気層内へ空気が流入され、外側容器は押圧される前の元の形状に復元されると共に、内側容器は変形したままの形状を維持する。
【特許文献１】実開平７−２１５６９号
【発明の開示】
【発明が解決しようとする課題】
【０００５】
しかし、従来のように空気孔にて前記空気層に空気を導入する方法においては、押圧する際に前記空気層内の空気が容器の外部に漏れてしまうと内側容器に対して適切に押圧力が伝達されないため、当該空気孔を僅かな量の空気を通す程度の大きさにしか設定できなかった。よって、外部から空気を導入し外側容器を復元する際にも、少量ずつしか空気を導入することができず使い勝手が悪いものとなっていた。
【０００６】
また、空気孔の開孔位置によっては、使用者が当該容器を握持することにより、手で当該空気孔を塞いでしまうこともあった。
【課題を解決するための手段】
【０００７】
そこで、本願発明は、流動体等の内容物を押し出して外部に吐出する押出容器において、内容物を貯留する内側容器と、当該内側容器との間に空気層を形成可能な状態で当該内側容器を内部に収容する外側容器とからなる積層構造の容器本体と、前記空気層に外部の空気を導入し、導入した空気の逆流を防止する逆止弁とを具備し、当該逆止弁を前記外側容器の底壁に設けると共に、内容物を押し出す際に押圧される押圧部を当該外側容器の側周壁に設けたことを特徴とする。
【０００８】
これにより、空気の導入に逆止弁を用いているため、外側容器が復元するために最適な空気流入速度を設定することが可能になる。更に、当該逆止弁を使用者が押圧する箇所と異なる所に設けているため、空気の導入が妨げられる心配もない。
【０００９】
更に、前記逆止弁を覆うカバー体を具備し、当該カバー体を台座として前記容器本体を起立可能に構成することで、当該容器本体を例えば机上等に起立させる際にも前記逆止弁が邪魔になることはなく、使用者が扱い易いものとすることができる。
【００１０】
加えて、前記外側容器を、内部に前記内側容器を収容する内側容器収容体と、当該内側容器収容体に着脱可能に取り付けられる蓋体とから構成することにより、内側容器内の内容物が減少した際に当該内側容器を簡単に取り出して内容物を補充することが可能となる。
【発明の効果】
【００１１】
本発明において、空気の導入に逆止弁を用いているため、外側容器が復元するために最適な空気流入速度を設定することが可能になる。更に、当該逆止弁を使用者が握持する面と異なる箇所に設けているため、空気の流入が妨げられる心配もない。
【００１２】
更に、カバー体にて、例え逆止弁を設けた際にも当該逆止弁が邪魔にならず当該容器本体を容易に起立させ使い勝手の良いものとすることができる。
【発明を実施するための最良の形態】
【００１３】
以下、本願発明の押出容器Ａの一実施の形態を図面を用いて説明する。
【００１４】
図１は、押出容器Ａの分解斜視図であり、図２は、押出容器Ａの正面図である。
【００１５】
本願発明の押出容器Ａは、マヨネーズ等の内容物を押し出して外部に吐出することができる容器であり、内容物を貯留する容器本体１と、前記容器本体１内に設けた後述する空気層１２に外部の空気を導入し、導入した空気の逆流を防止する逆止弁２とを具備している。また、本実施の形態においては、前記逆止弁２を覆うカバー体３を設け当該カバー体３にて前記容器本体１が机上等に起立できる様に構成している。
【００１６】
容器本体１は、内容物を貯留する内側容器１１と、当該内側容器１１との間に空気層１２を形成可能な状態で当該内側容器１１を内部に収容可能な外側容器１３とからなる積層構造のものであり、前記外側容器１３の側方から押圧力をかけることにより、前記空気層１２を介して内側容器１１を変形させ、その内容物を押し出すことができる構成を有している。
【００１７】
内側容器１１は、前記内容物を貯蔵するための内容物貯蔵空間Ｓ１を内部に形成した有底円筒状のもので、側周壁１１ａと、当該側周壁１１ａの下方を閉塞する底壁１１ｂとからなり、当該底壁１１ｂの対向面を開口して後述する吐出口１３２ａから前記内容物貯蔵空間Ｓ１内の内容物を吐出できる構成を有している。
【００１８】
また、当該内側容器１１は、前記側周壁１１ａ上部を前記外側容器１３に対して螺合させることにより着脱可能に取り付けられるものであり、必要に応じて交換できる。
【００１９】
更に、全体を可撓性を有する合成樹脂等にて構成しているため、外方からの圧力に応じて自在に変形可能なものである。
【００２０】
外側容器１３は、前記内側容器１１との間に空気層１２を形成可能な状態で当該内側容器１１を内部に収容可能な内側容器収容体１３１と、当該内側容器収容体１３１の上部を閉塞するための蓋体１３２とから構成している。
【００２１】
内側容器収容体１３１は、前記内側容器１１を収容するための収容空間Ｓ２を内部に形成した有底円筒状のもので、押圧力を付加する押圧部１３１ａを設けた側周壁１３１ｂと、当該側周壁１３１ｂの下方を閉塞する底壁１３１ｃとからなり、当該底壁１３１ｃの対向面を開口して当該収容空間Ｓ２内に前記内側容器１１を出し入れするための出入部１３１ｄを形成している。
【００２２】
また、当該内側容器収容体１３１は、合成樹脂等により構成し、そこに付与された押圧力が解除された際に元の形状に復帰しようとする弾性復元力を有する。
【００２３】
出入部１３１ｄは、後述する蓋体１３２を前記側周壁１３２ｃの上部に螺合させることで閉塞可能なものである。
【００２４】
押圧部１３１ａは、使用者が握持することにより押圧力を付加し、外側容器１３と共に内側容器１１を変形させ、当該内側容器１１内を加圧状態とすることで、内容物を吐出口１３２ａから押し出せる様にしている。
【００２５】
蓋体１３２は、内容物を吐出可能な吐出口１３２ａを設けた天壁１３２ｂと、前記内側容器収容体１３１及び前記内側容器１１を着脱可能に取付ける取付部１３２ｄを設けた側周壁１３２ｃとから構成している。
【００２６】
吐出口１３２ａは、前記内側容器１１の内容物貯蔵空間Ｓ１と連通し、内側容器１１内の内容物を外部に吐出可能な通路を形成している。
【００２７】
逆止弁２は、前記空気層１２に外部の空気を導入し、導入した空気の逆流を防止する逆止弁２であり、前記吐出口１３２ａを設けた面と対向する面、具体的には、前記外側容器１３の底壁１３１ｃに設けている。
【００２８】
当該逆止弁２は、外側容器１３の底壁１３１ｃに複数開孔した空気孔１３１ｅを閉塞する円盤状の開閉弁体２１と当該開閉弁体２１を外側容器１３の底壁１３１ｃ中央に取付ける連結杆２２とから構成している。
【００２９】
当該開閉弁体２１は、連結杆２２を基端として外側容器１３の底壁１３１ｃに対して離間または近接する方向への揺動可能なものである。
【００３０】
カバー体３は、容器本体１の底部に着脱可能に外嵌できる有底円筒状のもので、前記容器本体１の底部に外嵌される側周壁３ａと、当該押出容器Ａを机等に起立させる際に、当該机と当接する水平壁である底壁３ｃとから構成している。
【００３１】
側周壁３ａの内周面上部には、容器本体１の底部に設けた係合部１３１ｆと係合する係止突条３ｄを設けており、当該カバー体３を前記容器本体１に取付ける際には、側周壁３ａを容器本体１の底部に外嵌させて、前記係合部１３１ｆと係止突条３ｄを係合させる。
【００３２】
底壁３ｃには、中央に外部の空気の流入路となる通気孔３ｂを設けており、前記外側容器１３に設けた空気孔１３１ｅへの空気の流入を妨げない構成としている。
【００３３】
次に、当該押出容器Ａ内の内容物を吐出する際の工程について説明する。
【００３４】
まず、図５に示すように、外側容器１３の押圧部１３１ａを押圧すると、当該外側容器１３と共に内側容器１１が変形し、内側容器１１内が加圧状態となることで、内容物が吐出口１３２ａから吐出する。
【００３５】
一方、図６に示すように、外側容器１３の押圧を解除すると、外側容器１３は、自己形状保持能力により元の形状に弾性復元しようとする。その際、外側容器１３と内側容器１１との間の空気層１２が拡大することにより、外側容器１３と内側容器１１との間が減圧状態となるため、逆止弁２の開閉弁体２１が連結杆２２を基端として外側容器１３の底壁１３１ｃから離間する方向に揺動して空気孔１３１ｅを開放し、この空気孔１３１ｅから外側容器１３と内側容器１１との間に外気を導入する。
【００３６】
再び、外側容器１３の押圧部１３１ａを押圧すると、外側容器１３と内側容器１１との間が加圧状態となるため、逆止弁２の機能により、空気孔１３１ｅが開閉弁体２１で閉塞され、外気の導入を遮断し、外側容器１３と内側容器１１との間に導入された空気の逆流を防止する。
【００３７】
このため、外側容器１３の押圧により、外側容器１３と内側容器１１との間に存在する空気を介して、萎み変形した内側容器１１内の内容物が確実に加圧され、再び内容物が吐出する。
【００３８】
以上のように、空気の導入に逆止弁２を用いているため、外側容器１３が復元するために最適な空気流入速度を設定することが可能になる。更に、当該逆止弁２を使用者が押圧する箇所と異なる所に設けているため、空気の導入が妨げられる心配もない。
【００３９】
更に、前記逆止弁２を覆うカバー体３を具備し、当該カバー体３を台座として前記容器本体１を起立可能に構成することで、当該容器本体１を例えば机上等に起立させる際にも前記逆止弁２が邪魔になることはなく、使用者が扱い易いものとすることができる。
【００４０】
加えて、前記外側容器１３を、内部に前記内側容器１１を収容する内側容器収容体１３１と、当該内側容器収容体１３１に着脱可能に取り付けられる蓋体１３２とから構成することにより、内側容器１１内の内容物が減少した際に当該内側容器１１を簡単に取り出して内容物を補充することが可能となる。
【００４１】
尚、各部の具体的な構成は、上述した実施形態のみに限定されるものではなく、本発明の趣旨を逸脱しない範囲で種々変形が可能である。
【００４２】
例えば、内容物の漏れを防ぐために、蓋体１３２と内側容器１１との間にパッキンを設けてもよい。
【００４３】
また、本実施の形態においては、図３に示すように、逆止弁２を外側容器１３の内側容器収容体１３１の底壁１３１ｃに直接取付けているが、図７に示すように、逆止弁取付部材４を介して内側容器収容体１３１に対して逆止弁２を着脱可能に取付けることも考えられる。
【００４４】
具体的には、逆止弁取付部材４は、内側容器収容体１３１の底壁１３１ｃに着脱可能に外嵌できる有底円筒状のもので、内側容器収容体１３１の底部に外嵌される側周壁４ａと、前記逆止弁２を有する水平壁である底壁４ｂとから構成している。
【００４５】
当該逆止弁２は、逆止弁取付部材４の底壁４ｂに複数開孔した空気孔４ｃを閉塞する円盤状の開閉弁体２１と当該開閉弁体２１を逆止弁取付部材４の底壁４ｂ中央に取付ける連結杆２２とから構成している。
【００４６】
当該開閉弁体２１は、連結杆２２を基端として逆止弁取付部材４の底壁４ｂに対して離間または近接する方向への揺動可能なものである。
【００４７】
更に、当該逆止弁取付部材４には、前記逆止弁２を保護するカバー体３として、前記底壁４ｂから垂下するカバー壁３１を逆止弁２の周囲に設けている。このカバー壁３１は、底壁４ｂから逆止弁２が反内側容器収容体側に突出する突出幅よりも長寸を有しており、当該押出容器Ａを机等に起立させる際に、当該カバー壁３１が机と当接することで逆止弁２を保護する。
【００４８】
また、当該逆止弁取付部材４は、前記側周壁４ａ上部を前記内側容器収容体１３１に対して螺合させることにより着脱可能に取り付けられるものであり、必要に応じて交換できる。
【００４９】
一方、内側容器収容体１３１の底部には、中央に外部の空気の流入路となる通気孔１３１ｇを設けており、前記外側容器１３内への空気の流入を妨げない構成としている。
【００５０】
更に、図８に示すように、可撓性を有する袋状の部材にて前記内側容器１１０を構成することも考えられる。具体的には、上部を開口させた有底筒状の内側容器本体１１０aと、当該内側容器本体１１０aの開口を蓋閉する蓋体１１０ｂとから構成している。当該蓋体１１０ｂは、前記内側容器本体蓋体１１０ａの開口よりも大径を成す鍔部を有し、当該鍔部を内側容器収容体１３１の開口に係止させたり、環状のパッキンなどを介して当該内側容器収容体１３１の内側に鍔部を圧接させたりすることで、内側容器収容体１３１の内に内側容器１１０を取り付けている。また、当該蓋体１１０ｂの中央部（内側容器１１０の上面）には内容物を吐出可能な吐出孔１１０ｃを設けると共に、当該吐出孔１１０ｃの開口を塞ぐように貼り付け、内側容器１１０を密閉可能なシール部材１１０ｄを設けておくとよい。つまり、当該内側容器１１０を詰め替え用の容器として販売する際には、前記シール部材１１０ｄにより吐出孔１１０ｃを蓋閉して内容物を漏れないようにすると共に、当該内側容器１１０を詰め替えて使用する際には、当該内側容器１１０を内側容器収容体１３１に収容した後に前記シール部材１１０ｄを剥がして利用する。
【００５１】
加えて、本実施の形態においては、蓋体１３２に、内容物を吐出可能な吐出口１３２ａを設けているが、内側容器１１の上部に吐出口１３２ａを設け、内側容器１１と吐出口１３２ａとを一体に構成することも考えられる。
【図面の簡単な説明】
【００５２】
【図１】本発明の一実施形態に係る押出容器の分解斜視図。
【図２】同実施形態に係る正面図。
【図３】同実施形態に係る正面図。
【図４】同実施形態に係る断面図。
【図５】同実施形態に係る断面図。
【図６】同実施形態に係る断面図。
【図７】他の実施形態に係る押出容器の断面図。
【図８】他の実施形態に係る押出容器の分解斜視図。
【符号の説明】
【００５３】
Ａ・・・押出容器
１・・・容器本体
２・・・逆止弁
３・・・カバー体
１１・・・内側容器
１２・・・空気層
１３・・・外側容器
３１・・・カバー体（カバー壁）
１１０・・・内側容器
１３１・・・内側容器収容体
１３１ａ・・・押圧部
１３１ｂ・・・側周壁
１３１ｃ・・・底壁
１３２・・・蓋体
【図１】
2006298386.tif 000003
【図２】
2006298386.tif 000004
【図３】
2006298386.tif 000005
【図４】
2006298386.tif 000006
【図５】
2006298386.tif 000007
【図６】
2006298386.tif 000008
【図７】
2006298386.tif 000009
【図８】
2006298386.tif 000010